(57)【要約】【課題】  袋本体の底部に底マチ部が存在しないものでも立った状態に保つことができる収容袋を提供すること。【解決手段】  上端に開口を有し且つ両側部に左右マチ部６，８を有する袋本体４を備え、左右マチ部６，８が袋本体４の上端から底端まで延びている収容袋。袋本体４の底部の両角部は弧状に丸く形成されているとともに、袋本体４の底貼付部２２における左右マチ部６，８の内側に左右切込み３２，３４（又は左右切欠き）が設けられている。袋本体４の底貼付部２２の高さは１０〜２０ｍｍであり、左右切込み３２，３４（又は左右切欠き）の長さは５〜１６ｍｍである。【選択図】  図１
2010149907.tif 000002
【特許請求の範囲】
【請求項１】
上端に開口を有し且つ両側部に左右マチ部を有する袋本体を備え、前記左右マチ部が前記袋本体の上端から底端まで延びている収容袋において、
前記袋本体の底部の両角部は弧状に丸く形成されているとともに、前記袋本体の底貼付部における前記左右マチ部の内側に左右切込み又は左右切欠きが設けられていることを特徴とする収容袋。
【請求項２】
前記袋本体の前記底貼付部の高さ（Ｈ１）は前記袋本体の前記底端から１０〜２０ｍｍであり、前記左右切込み又は前記左右切欠きの長さ（Ｌ１）は前記袋本体の前記底部から５〜１６ｍｍであることを特徴とする請求項１に記載の収容袋。
【請求項３】
上端に開口を有し且つ両側部に左右マチ部を有する袋本体を備え、前記左右マチ部が前記袋本体の上端から底端まで延びている収容袋において、
前記袋本体の底部の両角部は弧状に丸く形成されているとともに、前記袋本体の底貼付部に下端切欠きが設けられ、前記下端切欠きは前記左マチ部の内側から前記右マチ部の内側まで延びていることを特徴とする収容袋。
【請求項４】
前記袋本体の前記底貼付部の高さ（Ｈ２）は前記袋本体の前記底端から１０〜２０ｍｍであり、前記下端切欠きの深さ（Ｌ２）は前記袋本体の前記底部から５〜１６ｍｍであることを特徴とする請求項３に記載の収容袋。
【請求項５】
前記袋本体の前記左右マチ部には、前記袋本体の両角部が内側に折れやすくするための折り線が施されていることを特徴とする請求項１〜４のいずれかに記載の収容袋。
【発明の詳細な説明】
【技術分野】
【０００１】
本発明は、薬剤などの小物品を収容するために用いる収容袋に関する。
【背景技術】
【０００２】
薬剤などの小物品を収容するための収容袋として、両側部に左右マチ部を有する袋本体を備えたものが広く実用に供されている。このような収容袋においては、例えば袋本体の両側部に側部貼付部が設けられ、その底部に底貼付部が設けられ、これら側部貼付部及び底貼付部によって袋本体の両側部及び底部が塞がれ、また左右マチ部が袋本体の上端から底端まで延びている。この収容袋においては、袋本体の開口を開いてその内部に小物品を収容することができる。
【０００３】
ところが、このような収容袋では、袋本体は左右マチ部の存在によってその前後方向に開くことができるが、袋本体の底部では底貼付部の存在によって前後方向に開くことができず、それ故に、この袋本体を例えばテーブルなどに載置して立った状態に保つことができず、収容袋に収容するときには、片側の手でもって袋本体を保持し、この状態でもって小物品を収容しなければならない。
【０００４】
このような不都合を解消するために、例えばテーブルなどに載置して立った状態に保つことができる収容袋も広く実用に供されている（例えば、特許文献１の図１１参照）。この収容袋では、袋本体の両側部に左右マチ部が設けられていることに加えて、袋本体の底部にも底マチ部が設けられている。このような収容袋において、袋本体を開いて底マチ部を水平な状態に保持し、かかる状態にて底マチ部を載置することによって、収容袋を立った状態に保つことができる。
【０００５】
【特許文献１】特開２００６−１１１２９３号公報
【発明の開示】
【発明が解決しようとする課題】
【０００６】
しかしながら、上述した収容袋では、袋本体の底部にも底マチ部を設ける必要があるために、袋本体の構造が複雑となり、収容袋を製造するための製造工程が多くなるとともに、このことに関連して製造コストが高くなる問題がある。また、この種の収容袋では、使用する段階、即ち薬剤などの小物品を収容する段階になって、袋本体の表面に薬局名などの使用者の名前をプリンタ（例えば、インクジェットプリンタ）などを用いて印刷する場合がある。このような場合においては、この収容袋をプリンタを通して印刷する必要があるが、上述した収容袋では、袋本体の底マチ部では重なりの多い部分では１０枚程度となり、このような重なりの多い部分はプリンタを通して印刷する際に紙詰まりが発生し易く、プリンタによる印刷が非常に難しいという問題がある。
【０００７】
本発明の目的は、袋本体の底部に底マチ部が存在しないものでも立った状態に保つことができる収容袋を提供することである。
【課題を解決するための手段】
【０００８】
本発明の請求項１に記載の収容袋は、上端に開口を有し且つ両側部に左右マチ部を有する袋本体を備え、前記左右マチ部が前記袋本体の上端から底端まで延びている収容袋において、
前記袋本体の底部の両角部は弧状に丸く形成されているとともに、前記袋本体の底貼付部における前記左右マチ部の内側に左右切込み又は左右切欠きが設けられていることを特徴とする。
【０００９】
また、本発明の請求項２に記載の収容袋では、前記袋本体の前記底貼付部の高さ（Ｈ１）は前記袋本体の前記底端から１０〜２０ｍｍであり、前記左右切込み又は前記左右切欠きの長さ（Ｌ１）は前記袋本体の前記底部から５〜１６ｍｍであることを特徴とする。
【００１０】
また、本発明の請求項３に記載の収容袋は、上端に開口を有し且つ両側部に左右マチ部を有する袋本体を備え、前記左右マチ部が前記袋本体の上端から底端まで延びている収容袋において、
前記袋本体の底部の両角部は弧状に丸く形成されているとともに、前記袋本体の底貼付部に下端切欠きが設けられ、前記下端切欠きは前記左マチ部の内側から前記右マチ部の内側まで延びていることを特徴とする。
【００１１】
また、本発明の請求項４に記載の収容袋では、前記袋本体の前記底貼付部の高さ（Ｈ２）は前記袋本体の前記底端から１０〜２０ｍｍであり、前記下端切欠きの深さ（Ｌ２）は前記袋本体の前記底部から５〜１６ｍｍであることを特徴とする。
【００１２】
更に、本発明の請求項５に記載の収容袋では、前記袋本体の前記左右マチ部には、前記袋本体の両角部が内側に折れやすくするための折り線が施されていることを特徴とする。
【発明の効果】
【００１３】
本発明の請求項１に記載の収容袋によれば、袋本体の底部の両角部は弧状に丸く形成されているので、袋本体の底部に角張った部位がなく、ビニール袋などに収容しても袋を破ることが少なく、また子供などの手などに当たっても痛くなく、環境に優しい収容袋を提供することができる。また、袋本体の底貼付部における左右マチ部の内側に左右切込み（又は左右切欠き）が設けられているので、かかる左右切込み（又は左右切欠き）の存在によって、袋本体を開いて左マチ部及び右マチ部を底端まで開くことができ、この左右マチ部の開きでもってテーブルなどに載置して袋本体を立った状態に保つことが可能となる。
【００１４】
また、本発明の請求項２に記載の収容袋によれば、袋本体の底貼付部の高さ（Ｈ１）が袋本体の底端から１０〜２０ｍｍであり、また左右切込み（又は左右切欠き）の長さ（Ｌ１）が袋本体の底部から５〜１６ｍｍであるので、袋本体の左右マチ部を底端まで所要の通りに開くことができ、これによって、袋本体を開いて立った状態に安定的に保つことができる。
【００１５】
また、本発明の請求項３に記載の収容袋によれば、袋本体の底部の両角部は弧状に丸く形成されているので、上述したと同様に環境に優しい収容袋を提供することができる。また、袋本体の底貼付部に下端切欠きが設けられ、この下端切欠きが左マチ部の内側から右マチ部の内側まで延びているので、かかる下端切欠きの存在によって、袋本体を開いて左マチ部及び右マチ部を底端まで開くことができ、この左右マチ部の開きでもってテーブルなどに載置して袋本体を立った状態に保つことが可能となる。
【００１６】
また、本発明の請求項４に記載の収容袋では、袋本体の底貼付部の高さ（Ｈ２）は袋本体の底端から１０〜２０ｍｍであり、下端切欠きの深さ（Ｌ２）は袋本体の底部から５〜１６ｍｍであるので、袋本体の左右マチ部を底端まで所要の通りに開くことができ、これによって、袋本体を開いて立った状態に安定的に保つことができる。
【００１７】
更に、本発明の請求項５に記載の収容袋によれば、袋本体の左右マチ部に折り線が施されているので、左右マチ部を開いた状態において、この折り線を利用して袋本体の両角部を内側に折った状態にすることができ、これによって、袋本体を立った状態により安定的に保つことができる。
【発明を実施するための最良の形態】
【００１８】
以下、添付図面を参照して、本発明に従う収容袋の実施形態について説明する。
第１の実施形態
図１〜図４を参照して、収容袋の第１の実施形態について説明する。図１は、第１の実施形態の収容袋を示す斜視図であり、図２は、図１の収容袋を示す背面図であり、図３は、図１の収容袋の貼付け工程を説明するための図であり、図４は、図１の収容袋の使用状態の一例を示す斜視図である。
【００１９】
図１〜図３において、図示の収容袋２は、薬剤を収容するための薬袋などとして用いることができるが、薬剤以外の小物を収容する収容袋として用いることができる。この収容袋２は、上端に開口を有する袋本体４を備え、この袋本体４の両側部に左右のマチ部６，８が設けられている。左マチ部６及び右マチ部８は、袋本体４の上端から底端まで設けられ、その底部にはマチ部は設けられていない。
【００２０】
このような袋本体４は、例えば、図４に示すようにして製作することができる。この袋本体４を製作するには、両側端部に左右のマチ部６，８となる谷折り部１０，１２が設けられた第１シート部材１４と、シート状の第２シート部材１６とが用いられ、第２シート部材１６の両側部及び底部を第１シート部材１４の谷折り部１０，１２及び底部に貼着することによって、図１及び図２に示すように形成される。この袋本体４は、例えば、高さ（Ｈ）が２５０〜３００ｍｍ程度に、横（Ｗ）が１５０〜２００ｍｍ程度に形成され、このような大きさの袋本体４においては、例えば、左右マチ部６，８の左右貼付部１８，２０の幅（Ｗ１）が５〜８ｍｍ程度に、底部の底貼付部２２の高さ（Ｈ１）が１０〜２０ｍｍ程度に形成される。
【００２１】
この袋本体４においては、袋本体４の底部の両角部が弧状に丸く形成され、例えば、その半径Ｒが１０〜２０ｍｍ程度に形成され、このことに関連して、左右貼付部１８，２０と底貼付部２２との接続部２４，２６は、底端に向けて内側に傾斜して設けられている。このように底部の両角部に円弧状部２８、３０を設けることによって、底部に角部がなくなり、手などに当たっても痛くなく、環境に優しいものを提供することができる。また、このような弧状部２８，３０に加えて、更に、次のように構成することによって、袋本体４を立てた状態に保つことが可能となる。
【００２２】
主として図１及び図２を参照して、この実施形態では、袋本体４の左右の円弧状部２８，３０の内側に左右の切込み３２，３４が設けられている。左切込み３２は左マチ部６の谷部３６より幾分（例えば、２〜５ｍｍ程度）内側に設けるのが好ましく、また右切込み３４は右マチ部８の谷部３８より幾分（例えば、２〜５ｍｍ程度）内側に設けるのが好ましい。
【００２３】
左右の切込み３２，３４の長さＬは、袋本体４の底端から５〜１６ｍｍ程度であるのが好ましく、袋本体４の底貼付部２２の高さＨ１が例えば１０ｍｍ程度である場合、左右切込み３２，３４の長さＬ１は、この底端から５〜８ｍｍ程度であるのが好ましく、またその底貼付部２２の高さＨ１が２０ｍｍ程度である場合、左右切込み３２，３４の長さＬ１は、この底端から１０〜１６ｍｍ程度であるのが好ましい。左右切込み３２，３４の長さＬ１がこのような最小値（即ち、底貼付部２２の高さＨ１の１／２倍の値）よりも小さいと、袋本体４を安定的に広げることが難しく、従って後述するように立てた状態に保つことが難しく、また左右切込み３２，３４の長さＬ１がこのような最大値（即ち、底貼付部２２の高さＨ１の４／５倍の値）よりも大きいと、底貼付部２２の長さが小さくなり、袋本体４の底部が破れやすくなる。
【００２４】
このような収容袋２を立った状態に保つには、図４に示すように、袋本体４の上端開口から例えば手を挿入して左右のマチ部６，８を広げ、その底部を前後方向（図１において右下から左上の方向、図２において紙面に垂直な方向、図４において    から    の方向）に延びるようにして例えばテーブル（図示せず）に載置すればよい。左右マチ部６，８のこのような広がりは、底貼付部２２の両側部に切込み３２，３４が存在することにより許容され、このように開いた状態にて例えばテーブル（図示せず）の上面に載置することによって、袋本体４の底部にマチ部が存在しないにもかかわらず、左右マチ部６，８の前後方向に延びる底部を利用して立った状態に保つことができ、袋本体４の底部の両角部に円弧状部２８，３０が設けられていることに関連して、袋本体４を安定的に立った状態に保つことができる。
【００２５】
袋本体４をこのように立った状態に保つことによって、袋本体４を手で持つことなく収容物、例えば薬剤などを収容することができ、収容物の収容を容易に行うことができる。尚、袋本体４に収容物を収容すると、袋本体４の底部に収容物の重量が作用するようになり、かかる重量によって袋本体がより安定的に立った状態に保持されるようになる。
【００２６】
第２の実施形態
次に、図５及び図６を参照して、収容袋の第２の実施形態について説明する。図５は、第２の実施形態の収容袋を示す斜視図であり、図６は、図５の収容袋の使用状態の一例を示す斜視図である。以下の実施形態において、上述した第１の実施形態と実質上同一の部材には同一の参照番号を付し、その説明を省略する。
【００２７】
図５及び図６において、この第２の実施形態では、第１の実施形態における左右切込みに代えて、収容袋２Ａの袋本体４Ａの底貼付部２２に下端切欠き４２が設けられている。このような下端切欠き４２は、例えば、次のように形成される。
【００２８】
下端切欠き４２は、袋本体４Ａの左右の円弧状部２８，３０の内側間に設けられ、下端切欠き４２の片側は左マチ部６の谷部３６より幾分（例えば、２〜５ｍｍ程度）内側に設けられ、その他側は右マチ部８の谷部３８より幾分（例えば、２〜５ｍｍ程度）内側に設けられ、これらの間にわたって細長く設けられている。
【００２９】
下端切欠き４２の深さＬ２は、袋本体４Ａの底端から５〜１６ｍｍ程度であるのが好ましく、袋本体４の底貼付部２２の高さＨ１が例えば１０ｍｍ程度である場合、下端切欠き４２の深さＬ２は、その底端から５〜８ｍｍ程度であるのが好ましく、またその底貼付部２２の高さＨ１が２０ｍｍ程度である場合、下端切欠き４２の深さＬ２は、その底端から１０〜１６ｍｍ程度であるのが好ましい。この第２の実施形態のその他の構成は、上述の第１の実施形態と実質上同一である。
【００３０】
このような収容袋２Ａを立った状態に保つには、第１の実施形態と同様に、図６に示すように、袋本体４Ａの上端開口から例えば手を挿入して左右のマチ部６，８を広げ、その底部を前後方向（図１において右下から左上の方向、図２において紙面に垂直な方向、図４において    から    の方向）に延びるようにして例えばテーブル（図示せず）に載置すればよい。左右マチ部６，８のこのような広がりは、底貼付部２２に下端切欠き４２が存在することにより許容され、このように開いた状態にて例えばテーブル上面に載置することによって、袋本体４Ａの底部にマチ部が存在しないにもかかわらず、左右マチ部６，８の前後方向に延びる底部を利用して立った状態に保つことができる。
【００３１】
第３の実施形態
第１の実施形態における左右切込みに代えて、図７に示すように構成することもできる。図７は、左右切込みに修正を施した第３の実施形態の収容袋を示す斜視図である。
【００３２】
図７において、この実施形態の収容袋２Ｂでは、左右切欠き５２，５４が袋本体４Ｂの左右の円弧状部２８，３０の内側に設けられ、左切欠き５２は左マチ部６の谷部３６より幾分（例えば、２〜５ｍｍ程度）内側に設けられ、右切欠き５４は右マチ部８の谷部３８より幾分（例えば、２〜５ｍｍ程度）内側に設けられる。このように左右切欠き５２，５４を設けるようにしても左右マチ部６，８の前後方向の広がりが許容され、上述したと同様に、袋本体４Ｂの底部にマチ部が存在しないにもかかわらず、左右マチ部６，８の前後方向に延びる底部を利用して立った状態に保つことができる。
【００３３】
尚、袋本体４Ｂを立てた状態により確実に保持するために、左右マチ部６，８の底部を前後方向に広げた状態にて内側に（即ち、相互に近接する方向に）折れやすくするのが好ましく、このようにするために、袋本体４Ｂの左右マチ部６，８の底部に例えば折れ線を施すことができる。このような折れ線は、第１及び第２の実施形態の収容袋にも同様に設けることができる。
【００３４】
以上、本発明に従う収容袋の各種実施形態について説明したが、本発明はかかる実施形態に限定されるものではなく、本発明の範囲を逸脱することなく種々の変形乃至修正が可能である。
【００３５】
例えば、上述した実施形態では、一対のマチ部を備えた第１シート部材とシート状の第２シート部材とを貼り付けて袋本体を形成しているが、このような形態の袋本体に限定されず、図８に示す形態の袋本体にも同様に適用することができる。図８（ａ）〜（ｃ）は、袋本体の他の実施形態を示す斜視図である。
【００３６】
図８（ａ）は、袋本体の他の形態を示し、この形態においては、袋本体４Ｃは、第１シート部材１４Ｃ及び第２シート部材１６Ｃの二つのシート部材から構成され、第１シート部材１４Ｃの一側端部に左マチ部６となる谷折り部１０Ｃが設けられ、第２シート部材１６Ｃの一側端部に右マチ部８となる谷折り部１１Ｃが設けられる。このような第１及び第２シート部材１４Ｃ，１６Ｃを所要の通りに貼り合わせる（袋本体４Ｃの側部及び底部となる部位を貼り合わせる）ことによっても、上述の第１の実施形態と同様の形態の袋本体４Ｃを製作することができる。
【００３７】
図８（ｂ）は、袋本体の更に他の形態を示し、この形態においては、袋本体４Ｄは一つのシート部材１４Ｄから構成され、このシート部材１４Ｄの幅方向中央部に左マチ部６となる谷折り部１０Ｄが設けられ、その一側端部に右マチ部８となる谷折り部１２Ｄが設けられる。このようなシート部材１４Ｄを所要の通りに貼り合わせる（袋本体４Ｄの側部及び底部となる部位を貼り合わせる）ことによっても、上述の第１の実施形態と同様の形態の袋本体４Ｄを製作することができる。
【００３８】
図８（ｃ）は、袋本体の更に他の形態を示し、この形態においては、袋本体４Ｅは一つのシート部材１４Ｅから構成され、このシート部材１４Ｅの片側部に左マチ部６となる谷折り部１０Ｅが設けられ、その他側部に右マチ部８となる谷折り部１２Ｅが設けられる。このようなシート部材１４Ｅを所要の通りに貼り合わせる（袋本体４Ｄの側部及び底部となる部位を貼り合わせる）ことによっても、上述の第１の実施形態と同様の形態の袋本体４Ｄを製作することができる。
【図面の簡単な説明】
【００３９】
【図１】第１の実施形態の収容袋を示す斜視図。
【図２】図１の収容袋を示す背面図。
【図３】図１の収容袋の貼付け工程を説明するための図。
【図４】図１の収容袋の使用状態の一例を示す斜視図。
【図５】第２の実施形態の収容袋を示す斜視図。
【図６】図５の収容袋の使用状態の一例を示す斜視図。
【図７】第３の実施形態の収容袋を示す斜視図。
【図８】図８（ａ）〜（ｃ）は、袋本体の他の実施形態を示す斜視図。
【符号の説明】
【００４０】
２，２Ａ，２Ｂ，２Ｃ，２Ｄ，２Ｅ  収容袋
４，４Ａ，４Ｂ，４Ｃ，４Ｄ，４Ｅ  袋本体
６，８  マチ部
２８，３０  弧状部
３２，３４  切込み
４２  下端切欠き
５２，５４  切欠き
【図１】
2010149907.tif 000003
【図２】
2010149907.tif 000004
【図３】
2010149907.tif 000005
【図４】
2010149907.tif 000006
【図５】
2010149907.tif 000007
【図６】
2010149907.tif 000008
【図７】
2010149907.tif 000009
【図８】
2010149907.tif 000010